(57)【要約】【課題】腹膜の透析治療に際し、透析液の排液について行う排液時間と排液量と排液の濁り度との、３項目の検査が、排液バッグを持っての患者の移動をなくして、一定の場所において連続して行え、しかも、正確で安定した検査結果が得られる腹膜透析用の検査装置を構成する。【解決手段】排液バッグを腹膜透析用検査装置の本体に対し取り付けセットする排液バッグ取り付け部と、排液時間を計測するタイマー及び排液時間を表示するタイマー表示部と、排液バッグ内の排液量を計る計量部及び排液バッグ内の排液量を表示する計量表示部と、取り付けセットされた排液バッグ内の排液の濁りレベル度を検知する濁りレベル検知手段とを有し、前記、濁りレベル検知手段は、本体の正面側のパネル面に設けられ、濃さが段階的に濃淡にかわる複数の標識によって濁りレベル度を現した目視レベル標識体により構成されている。【選択図】図７
2014083369.tif 000002
【特許請求の範囲】
【請求項１】
透明な材質で作られた排液バッグを腹膜透析用検査装置の本体に対し取り付けセットする排液バッグ取り付け部と、
患者の体内から排液バッグ内に排出される排液の排出開始時から排出終了時までの排液時間を計測し得るタイマー及び計測した排液時間を表示するタイマー表示部と、
前記、排液バッグ取り付け部に取り付けセットされた排液バッグ内の排液量を重量により計る計量部及びその計量部で計量された排液バッグ内の排液量を表示する計量表示部と、
前記、排液バッグ取り付け部に取り付けセットされた排液バッグ内の排液の濁りレベル度を検知する濁りレベル検知手段とを有し、
前記、濁りレベル検知手段は、前記排液バッグ取り付け部に取り付けセットされた排液バッグの正面側から該排液バッグを透過して見える本体の正面側のパネル面に設けられ、濃さが段階的に濃淡にかわる複数の標識によって濁りレベル度を現した目視レベル標識体により構成されていることを特徴とする腹膜透析用の検査装置。
【請求項２】
透明な材質で作られた排液バッグを腹膜透析用検査装置の本体に対し取り付けセットする排液バッグ取り付け部と、
患者の体内から排液バッグ内に排出される透析液の排液の排出開始時から排出終了時までの排液時間を計測し得るタイマー及び計測した排液時間を表示するタイマー表示部と、
前記、排液バッグ取り付け部に取り付けセットされた排液バッグ内の排液量を重量により計る計量部及びその計量部で計量された排液バッグ内の排液量を表示する計量表示部と、
前記、排液バッグ取り付け部に取り付けセットされた排液バッグ内の排液の濁りレベル度を検知する濁りレベル検知手段とを有し、
前記、濁りレベル検知手段は、前記排液バッグ取り付け部に取り付けセットされた排液バッグの正面側と背面側とにそれぞれ対抗配置され、一方は光を発射する発光部と、他方は発光部で発射されて前記排液バッグ内の排液を透過した光の受光量から濁りレベル度を検知する受光部とで構成されていることを特徴とする腹膜透析用の検査装置。
【請求項３】
少なくとも、計量部から出力される計測された重量値の情報信号と、タイマー表示部から出力される計測された排液時間の情報信号と、濁りレベル検知手段から出力される濁りレベルの情報信号とが、腹膜透析ソフトが組み込まれて腹膜透析用検査装置の本体に対し装脱自在に接続するパーソナルコンピュータ（ＰＣ）に入力され、前記、各情報信号がパーソナルコンピュータ（ＰＣ）により一括管理されるようになっていることを特徴とする請求項１又は２記載の腹膜透析用の検査装置。
【請求項４】
前記、腹膜透析用検査装置の本体に装備せしめる排液バッグ取り付け部は、本体に装架した計量部の、被計量物を直接引っ掛ける計量フックで構成されていることを特徴とする請求項１又は２記載の腹膜透析用の検査装置。
【発明の詳細な説明】
【技術分野】
【０００１】
本発明は、腎臓治療時に行われる血液透析又は腹膜透析の内の一方の腹膜透析用の検査装置に関する。
【背景技術】
【０００２】
腹膜透析は、体内の腹膜内に透析液を注入し、体内で血液を浄化する治療法となっている。そのために、腹膜内へ透析液を注入・排液するために接続口を備えたチューブを体内に埋め込み、それを清潔に維持管理する面倒な一面も残るが、自宅や場合によっては職場等の社会生活の中で行える在宅治療となっている。具体的な一例を、名称、サイクラーと呼ばれる注入・排液装置（以下、透析装置Ｂと称す）を用いた例について説明する。
まず、図１の説明図に示しているように、患者の身体Ａ内に埋め込んだ接続口ａを、吸引ポンプと吐出ポンプが内臓されている透析装置Ｂの接続口ｂに、チューブｃを介して接続し、透析装置Ｂの透析液取入口ｄには、所定量の透析液が封入された透析液バッグＣに装備されている接続口ｅを、チューブｆを介して接続し、この状態において、透析装置Ｂの機内に装備されている吐出ポンプを作動させて、透析液バッグＣ内の透析液の全量を患者の体内に送り込み、その送り込みが終了したところで、透析装置Ｂの作動を停止し、患者の体内に透析液を送り込んだ状態に静止し、透析治療を進行させる。
【０００３】
この状態で約２時間を経過したところで、透析装置Ｂの機内の配管の管路を切り換え、同時に透析装置Ｂの機内の吸引ポンプを作動させて、患者の体内の透析液を引き出し、透析装置Ｂに装備せしめている透析液排出口ｇから、チューブｈを介して排液（廃液）ビンＤに回収する。
【０００４】
この場合、患者によって回数が異なるが、決められた回数（例えば３回）を繰り返すようになるが、３回目となる最終回の透析治療においては、透析液の患者の体内からの引き出しには、透析装置Ｂの吸引ポンプは使用せず、患者の体内に埋め込んだ接続口ａに接続したチューブｃの先端側を、透析装置Ｂの接続口ｂから外して、図２にあるように、別に用意してある透明な材質の合成樹脂材で成形された排液バッグＥの接続口に接続し、体内の透析液を、重力による自然の流下で排液バッグＥ内に排出させる。
【０００５】
このとき、患者（又は介護人）は、体内の透析液の排出開始時から排出完了時までの透析液（廃液）の排出に要した時間（排出時間）と、患者の体内から排出させて排液バッグＥ内に回収した透析液の排出液の量と、その排出液の濁り度との、３つの項目についての検査計測を行い、これらの計測値を検査台帳に記録する。
腹膜透析治療は、以上の行程を経て行われ、また、排出された排液についての前記３つの項目の検査とその検査結果の記録との作業を伴う。
【０００６】
最終回の透析治療の際の、排液バッグＥ内に回収した排液についての検査の計測は、排液時間の計測にあっては、患者（又は介護人）が、目視により、排液バッグＥ内に挿入されたチューブｃの先端の排液口ｐからの排液の流出状態を監視し、排液口ｐからの排液の滴下の間隔が長くなってきたとき、または、排液口ｐから排出して排液バッグＥの内壁面を伝って流下する排液の流れが細くなって、途切れた状態となったときを、排液が終了した時とみなし、体内の透析液の排出を開始した時からこの排液が終了した時までの時間を、腕時計または時計をタイマーとして計測することで行う。
【０００７】
排液バッグＥ内に回収した透析液の排液の量の計測にあっては、バネ秤Ｆを用い、排液バッグＥのフック孔Ｅ’にバネ秤Ｆの計量フックｉを図３にあるように引き掛けて、そのバネ秤Ｆを図４にあるよう患者（又は介護人）が吊り下げ、指針の位置を読み取ることで、排液バッグごとの重量を計測することで行う。
【０００８】
また、排液の濁り度の計測にあっては、吊り下げた排液バッグＥの背面側に、確認プレートＧを位置させ、このプレートＧの表面に、上位の列から下位の列に移行するに従い、順次濃度が薄くなるように表示されている標識を、排液バッグＥの正面側から目視により透視し、視認できない標識を判別することで、濁りの度合いを計測し、視認できない標識に対応させて付設してある番号をもって濁り度とし、この番号を記録するようにしている。
【０００９】
網膜透析医療において、数回繰り返す透析治療の、最終回の透析治療の際に、患者の体内から排出させて排液バッグＥに回収した透析液の排液（廃液）について行う排液時間と排液量と排液の濁り度との３つの項目の検査・計測は、まず、患者の身体Ａに基端側が接続しているチューブｃの先端側を、透析装置Ｂから外して、そのチューブｃの先端側を、排液バッグＥに接続し、この状態において、患者の身体に埋め込んである接続口ａを開栓して、患者体内の透析液（排液）の排出を開始し、排出してくる排液が排液バッグＥ内に回収されるようにし、かつ、この排液の排出を開始した時に、同時に、タイマーの計時作動を始動させる。次いで、排液バッグＥに接続したチューブｃの先端の排液口ｐの周辺部位を、目視により注視して、そのチューブｃ先端の排液口ｐからの排液（患者の体内から排出された透析液）の流出状態を監視し、排液の滴下、流出の途切れの視認により排液の終了時として、この時にタイマーをストップさせて、排液の開始時からこの終了時までに経過した排液時間を、タイマーにより計測して台帳に記録する。この計測と記録が終えたところで、排液バッグＥを持って、バネ秤Ｆが備え付けてある所まで移動し、その場所においてバネ秤Ｆの計量フックｉに、回収した排液が封入されている排液バッグＥの係止穴を引き掛けて、バネ秤Ｆに排液バッグＥを吊り下げ、排液ごとの排液の重量を指針により検知して、排液量を計測し、その計測値を台帳に記録する。次いで、バネ秤Ｆから外した排液バッグＥを持って、排液の濁り度の確認プレートＧが備えてあるところに移動し、そこで、確認プレートＧを、排液バッグＥの背面側に当て、この確認プレートＧの表面に、濃さが濃淡に異なる段階にわけて付設してあるレベル標識を、排液バッグＥの正面側から透視して、そのレベル標識の見え具合から濁り度を計測し、計測値を台帳に記録する、という順で行われる。
【００１０】
このため、透析治療に用いられた透析液の排液に対して行う３つの項目の検査は、排液バッグＥの取り付け、取り外し作業が入ることと、場合によっては測定場所まで排液バッグＥを持って移動する等、面倒で煩わしいものとなっている。しかも、計測時の排液バッグＥの取り付け・取り外し時及び移動時に排液バッグＥ内の液の攪拌が起こることで、特に濁り度の測定に望ましくない影響を与え、正確で安定した検査結果が得られにくいという問題が生じている。
【発明の概要】
【発明が解決しようとする課題】
【００１１】
本発明において解決しようとする課題は、腹膜の透析治療に際し、患者の体内から排出させて排液バッグに回収した透析液の排液について行う排液時間と排液量と排液の濁り度との、３つの検査項目についての検査判定の際に、生じている前述した問題を解消せしめ、前記３項目の検査が、排液バッグを持っての患者の移動をなくして、一定の場所において連続して行え、しかも、正確で安定した検査結果が得られるようになる腹膜透析用の検査装置を構成する点にある。
【課題を解決するための手段】
【００１２】
そして、本発明においては、上述の課題を解決するための手段として、
透明な材質で作られた排液バッグを腹膜透析用検査装置の本体に対し取り付けセットする排液バッグ取り付け部と、
患者の体内から排液バッグ内に排出される排液の排出開始時から排出終了時までの排液時間を計測し得るタイマー及び計測した排液時間を表示するタイマー表示部と、
前記、排液バッグ取り付け部に取り付けセットされた排液バッグ内の排液量を重量により計る計量部及びその計量部で計量された排液バッグ内の排液量を表示する計量表示部と、
前記、排液バッグ取り付け部に取り付けセットされた排液バッグ内の排液の濁りレベル度を検知する濁りレベル検知手段とを有し、
前記、濁りレベル検知手段は、前記排液バッグ取り付け部に取り付けセットされた排液バッグの正面側から該排液バッグを透過して見える本体の正面側のパネル面に設けられ、濃さが段階的に濃淡にかわる複数の標識によって濁りレベル度を現した目視レベル標識体により構成されていることを特徴とする腹膜透析用の検査装置を提起し、またこれに併せて、
透明な材質で作られた排液バッグを腹膜透析用検査装置の本体に対し取り付けセットする排液バッグ取り付け部と、
患者の体内から排液バッグ内に排出される透析液の排液の排出開始時から排出終了時までの排液時間を計測し得るタイマー及び計測した排液時間を表示するタイマー表示部と、
前記、排液バッグ取り付け部に取り付けセットされた排液バッグ内の排液量を重量により計る計量部及びその計量部で計量された排液バッグ内の排液量を表示する計量表示部と、
前記、排液バッグ取り付け部に取り付けセットされた排液バッグ内の排液の濁りレベル度を検知する濁りレベル検知手段とを有し、
前記、濁りレベル検知手段は、前記排液バッグ取り付け部に取り付けセットされた排液バッグの正面側と背面側とにそれぞれ対抗配置され、一方は光を発射する発光部と、他方は発光部で発射されて前記排液バッグ内の排液を透過した光の受光量から濁りレベル度を検知する受光部とで構成されていることを特徴とする腹膜透析用の検査装置、および、
少なくとも、計量部から出力される計測された重量値の情報信号と、タイマー表示部から出力される計測された排液時間の情報信号と、濁りレベル検知手段から出力される濁りレベルの情報信号とが、腹膜透析ソフトが組み込まれて腹膜透析用検査装置の本体に対し装脱自在に接続するパーソナルコンピュータＰＣに入力され、前記、各情報信号がパーソナルコンピュータＰＣにより一括管理されるようになっていることを特徴とする腹膜透析用の検査装置、および、
前記、腹膜透析用検査装置の本体に装備せしめる排液バッグ取り付け部は、本体に装架した計量部の、被計量物を直接引っ掛ける計量フックで構成されていることを特徴とする腹膜透析用の検査装置を提起するものである。
【発明の効果】
【００１３】
本発明手段によれば、腹膜透析医療において、患者の体内から排出させて排出バッグに回収した透析液の排液について行う、排液時間と排液量と排液の濁り度との３つの項目の検査が、腹膜透析用検査装置の本体に対面する一定の位置において全て行えるようになるので、従来、検査項目ごとに、排液の回収を終えた排液バッグを持って順次移動しながら測定し記録しなければならなかった煩わしさから解放され、しかも、各項目の検査が、排液バッグを排液バッグ取り付け部に取り付けセットした同一の条件下において行えるので、正確で安定した検査結果が得られる。
【図面の簡単な説明】
【００１４】
【図１】腹膜の透析医療を説明する透析装置を透析液バッグと排液ビンと患者との関係の展開図である。
【図２】同上の透析医療において、透析医療を終えた透析液を患者の体内から排出されるときの説明図である。
【図３】排液バッグ内に回収した排液の重量を計測するために、従来行われている秤量作動の説明図である。
【図４】秤量した排液の重量値を患者が台帳に記録する動作の説明図である。
【図５】排液バッグ内に回収した排液の濁り度を目視により判定するために、排液バッグの背面側に位置させる目視レベル標識体と、排液バッグの正面図である。
【図６】排液バッグの背面側に前記目視レベル標識体を位置させ、排液バッグの正面側から透視することで、目視レベル標識体に、濃淡の差をもたせて付記してある標識の読み取りの難易から濁り度を判定する作業の説明図である。
【図７】本発明による腹膜透析用の検査装置における、第１の実施例の検査装置の斜視図である。
【図８】同上検査装置の側面図である。
【図９】排液バッグの正面図である。
【図１０】前記検査装置の、前記排液バッグを取り付けセットする正面パネル部分の正面図である。
【図１１】第２の実施例の検査装置の斜視図である。
【図１２】同上実施例の検査装置の側面図である。
【図１３】同上実施例の検査装置の機内に組み込むＣＰＵ基板部を示すブロック図である。
【図１４】第３の実施例の検査装置の斜視図である。
【図１５】同上実施例の検査装置の機内に組み込むＣＰＵ基板部と、各センサとの連携状態を示すブロック図である。
【図１６】第４の実施例の検査装置の正面図である。
【図１７】同上の検査装置の側面図である。
【図１８】第５の実施例の検査装置の正面図である。
【図１９】同上検査装置の側面図である。
【発明を実施するための形態】
【００１５】
次に、本発明手段の実施の態様を、実施例につき図面に従い詳述する。
【実施例１】
【００１６】
図７乃至図１０は、本発明手段による腹膜透析用の検査装置の第１の実施例を示し、図７は同上の検査装置の本体の正面側からの斜視図、図８は同上検査装置の上部本体を下部本体から引き上げた状態の側面図、図９は、同上検査装置に取り付けセットして、患者の体内から排出された透析液の排液の検査を行うための排液バッグの正面図、図１０は、同上排液バッグを同上検査装置の本体の正面側にセットした状態における同上検査装置の要部の正面図である。
【００１７】
これらの図において、１は検査装置Ｗの本体、１ａはその本体１の上部本体、１ｂは下部本体、１０は上部本体１ａの正面側に形成した正面パネル、１１はチューブフック、１２は電源との通電をオン・オフするメインスイッチ、Ｚは排液バッグＥ内に回収した排液の濁りレベルを検知する濁りレベル検知手段、２は、濁りレベル検知手段Ｚの濁りレベルの検知を目視により検知するよう前記正面パネル１０に付設した目視レベル標識体、２１〜２５は、計測した濁り度（濁りレベル）を表示する濁り度表示灯、３は排液時間を計測するタイマー、３０はそのタイマー３により計測した排液時間を表示するタイマー表示部、３１はタイマー３の作動をオン・オフ制御するタイマーの作動スイッチ、４は排液バッグＥ内に回収した排液の量を計測する計量部、４０はその計量部４で計測した排液量を表示する計量表示部、５は排液バッグＥを検査装置Ｗの本体１に対し取り付けセットする排液バッグ取り付け部を示す。
【００１８】
検査装置Ｗの本体１は、この実施例においては、上部本体１ａと下部本体１ｂとに分けて形成してある。下部本体１ｂは台箱状に成形してあって、内部には電子天秤よりなる計量部４の秤量機構を構成する計量部本体４ａを収蔵せしめてあり、その計量部本体４ａの上面には、被計量物を支承せしめる架台となる上部本体１ａの荷重を受ける受け座４１が装設してある。また、外部の後面側には、検査・計測する排液バッグＥを、前記排液バッグ取り付け部５に懸架して取り付けセットしたときに、その排液バッグＥに接続しているチューブｃの途中を支承せしめるためのチューブフック１１の基端部が組み付けてある。上部本体１ａは、被計量物を支承せしめて、下部本体１ｂ上に載架し、計量部４の計量部本体４ａに組み合わせることで、被計量物を計量する計量台となるよう、被計量物を支承する支持架台となる形状に形成してある。被計量物である排液バッグＥを取り付けセットする排液バッグ取り付け部５は、この上部本体１ａの、正面側に形成した正面パネル１０の前面の上部に装設してあって、これに懸架して取り付けセットした排液バッグＥが、正面パネル１０の前面に位置するようにしてある。また、上部本体１ａの底面には、下部本体１ｂ内に収蔵せしめた電子天秤よりなる計量部４の上面に突起状に設けた受け座４１に対し嵌合せしめる支脚１３が設けてあって、この支脚１３を前記受け座４１に挿し込んで嵌め合わせることで、上部本体１ａが下部本体１ｂ内の電子天秤よりなる計量部４の計量架台となって、排液バッグ取り付け部５に取り付けセットして上部本体１ａに支承せしめた排液バッグＥ及び該バッグ内の排液の重量の荷重が計量部４に負荷され、それにより計測された排液量の計測値のデータ信号が、下部本体１ｂの前面側に設けた計量表示部４０に送られて、排液量として該計量表示部４０に表示されるようにしてある。
【００１９】
濁りレベル検知手段Ｚは、患者の体内から排出せしめて、排液バッグＥ内に回収した透析液の排液の濁り度を検知し計測するためのもので、この例においては、段階的に濃淡の差のある複数の標識を付した目視レベル標識体２を用いて、目視による標識の視認の難易で濁りレベルを検知する構成のものとしている。
【００２０】
この濁りレベル検知手段Ｚを構成する目視レベル標識体２は、この例においては、排液バッグＥのフック孔Ｅ’を、排液バッグ取り付け部５に係止して排液バッグＥを取り付けセットしたときの、排液バッグＥのセット面となる上部本体１ａの正面側のパネル面１０に、窓穴を開設して、そこにアクリル板を嵌装し、そのアクリル板の表面側に、標識となる文字列を、濃さが下位の列になるに従い順次淡くなるように濃淡に差異を具備せしめて５段に表記し、アクリル板の裏側には、上部本体１ａ内に取り付けたバックライト（図示省略）を配設して構成してある。また、パネル面の、前記アクリル板の外周を囲う部位で、アクリル板に表記した５段の文字列のそれぞれに対応する部位には、１〜５の番号を列順に従って付した５個の濁り度表示灯２１・２２・２３・２４・２５が５段に並列して装設してある。これら濁り度表示灯２１〜２５は、押し込むことで、スイッチがオンに働き、点灯して、表記してある番号を濁り度として明示するように構成してある。
【００２１】
この目視レベル標識体２による排液バッグＥ内に回収した透析液の排液の濁り度の計測は、排液バッグＥを、排液バッグ取り付け部５に懸架して正面パネル１０に付設した目視レベル標識体２の前面位置にセットした状態において、排液バッグＥの正面側から、目視により排液バッグＥを透過して、目視レベル標識体２に並列させて表記した標識の群を透視し、排液バッグＥ内の排液の濁りにより、視認できない状態にある標識のうちの、最上位の標識の段位を認知することで行われる。そして認知したところで、その標識に対応して位置している表示灯、例えば、３段目の標識の表示灯２３を押し込み、スイッチをオンとしてその表示灯２３を点灯させ、その表示灯２３に付してある番号の３をもって濁り度３とし、これを台帳に記録することで、濁り度の計測・検査が終了するようにしている。
【００２２】
タイマー３は、治療台（寝台）に横臥している患者の体内に送り込まれた透析液が、透析治療を終えて、排液として、床に設置した検査装置Ｗの本体１にセットした排液バッグＥ内に、寝台上と床面との高低の差による重力で自然に排出されて回収されていくときの、排液の排出開始時から排出終了時までに要した排液時間を計測するものであり、この例においては、作動スイッチ３１をオンとすることで計時作動を開始して、経過時間をタイマー表示部３０に表示し、作動スイッチ３１をオフに切り換えることで計時作動をストップさせる通常のタイマー３を用いている。そして、患者が自身の体に埋設してある接続口ａを開栓して排液の排出を開始したときに、作動スイッチ３１をオンにして、タイマー３の作動を開始させ、同時に、検査装置Ｗの本体１にセットされている排液バッグＥに接続しているチューブｃの先端の排液滴下口ｐからの排液の流出状態を注視し続け、その排液滴下口ｐからの排液の滴下が途絶えた状態となった時、又は所定の間隔で滴下するようになった時に排液終了と見なして、作動スイッチ３１をオフに切り換えてタイマー３をストップさせる。タイマー３のストップ後にタイマー表示部３０及び計量表示部４０をそれぞれ視認し、台帳に記入することで排液時間の検査測定、重量の検査測定がそれぞれ終了するようになっている。この場合、計量表示部４０にバックライトを設けておき、そのバックライトを、計量部４の重量変化でオン・オフさせる機能を持たせるようにすることが望ましい。これにより、計量部４は、連続して液が落下している時は重量変化が大きいと判断し、バックライトをオン状態に保持し続ける。一方、所定の間隔で落下するようになった時は重量変化が小さくなったと判断し、バックライトをオフとすることで、バックライトの消灯により排液終了となる確実な目視判断の助けが得られるようになる。
【実施例２】
【００２３】
図１１乃至図１２は、第２の実施例を示し、図１１はその実施例２における検査装置の全体の斜視図、図１２は同上検査装置の側面図である。
【００２４】
これらの図において、１は検査装置Ｗの本体、１ａは上部本体、１ｂは下部本体、１０は上部本体１ａの正面側に設けた正面パネル、５は正面パネル１０の上部に設けた排液バッグＥを取り付けセットするための排液バッグ取り付け部、１１は、排液バッグ取り付け部５に取り付けセットした排液バッグＥに接続しているチューブｃの途中を支承するよう配位して基端を下部本体１ｂの後面部に組み付けているチューブフック、１２は上部本体１ａの前記正面パネル１０に取り付けたメインスイッチ、３は正面パネル１０に組み付けた排液時間を計測するタイマー、３０は前記タイマー３が計測した排液時間を表示するタイマー表示部、３１はタイマー３の計測作動をオン・オフする作動スイッチ、４は前記排液バッグ取り付け部５に取り付けてセットした排液バッグＥ及びそれの内部の排液の重量を計測する計量部、４ａは計量部４の秤量機構を構成する計量部本体、４０は計量部４で計測された計測値を表示する計量表示部、４１は計量部本体４ａの上面に設けた被計量物を支承せしめる架台の荷重を受ける受け座を示している。これらの構成部材は、前述した実施例において、同じ符号を付して説明している部材と同様のものである。
【００２５】
この実施例２の検査装置は、前述の実施例１で示す検査装置において、目視により排液滴下口ｐからの排液の排出状態を監視して排出が終了したことを視認し、その時に、タイマーを患者の手動操作でストップさせることで行っていた排液時間の測定を、排液の流れの有無を検知し得る検知センサを用いて、排液滴下口ｐからの排液の排出が無くなったことを自動的に検知させ、その検知センサが検知して出力する排液の排出終了の情報信号をタイマー３に送信して該タイマー３をストップさせて、自動的に排液時間の計測を行わせ、計測した排液時間をタイマー表示部３０に表示するようにしている例である。また、前述の実施例１の検査装置では、目視による、排液バッグ内の排液を透過しての標識の読み取りの難易から人為的に判定している排液の濁り度を、光を発射する発光器と受光する光量を検知する受光器とからなる検知手段を用い、発光器から発射されて排液バッグ内の排液を透過した光の量を受光器で検出させ、検出された光量の情報信号から排液の濁り度を演算させて濁り度表示部に表示されるようにして、人為的な手段を要さずに自動的に濁り度の計測が行えるようにしている例である。そして、この例の検査装置は、上述の点を除いたその余の構成は前述した実施例１のものと変わりがないものである。
【００２６】
即ち、この例の検査装置は、それの本体１が、上部本体１ａと下部本体１ｂとに分けられ、その下部本体１ｂは、中空の台盤状に形成されて、内部には、電子天秤よりなる計量部４の秤量機構を構成する計量部本体４ａが収蔵され、上部本体１ａは、下部本体１ｂ上に載置し、その下部本体１ｂ内に収蔵してある計量部４の計量部本体４ａに対し載架せしめて組み合わせることで、支承せしめた秤量すべき被計量物の重量荷重を、計量部本体４ａの秤量作動部に負荷せしめる計量台となる構成のものに形成してあること、また、上部本体１ａには、排液バッグ取り付け部５が設けられ、これに、排液バッグＥをセットして該上部本体１ａに支承せしめることで、排液バッグＥの重量が下部本体１ｂ内の計量部４の作動で計測され、その計測値の信号データが、下部本体１ｂの前面側に付設してある計量表示部４０に伝えられて、その計量表示部４０に表示されるように構成してあること、また、排液バッグＥが排液バッグ取り付け部５に取り付けセットされている状態において、患者が接続口ａを開栓して、体内の透析液を排出させると、その透析液の排液が排液バッグＥ内に挿し込まれている排液チューブｃの先端の排液滴下口ｐから流出して排液バッグＥ内に回収され、その回収された排液の重量が、計量部４で計測されて、計量表示部４０に表示されるように構成してあること、また、この透析液を排液として排出させて排液バッグＥに回収させるときの、排液の排出を開始した時から排出が終了した時までの排液時間を、排出開始時に計測作動を始動させ排出終了時にストップさせるタイマー３により計測させ、それにより計測された排液時間がタイマー表示部３０に表示されるように構成してあることについては、前記第１の実施例の検査装置と変わりがない。
【００２７】
しかして、前述した排液の排出終了時を検知するための検知センサＳは、基端が上部本体１ａの側壁に取り付けられて、先端側が上部本体１ａの正面パネル１０の前面に向けてアングル状に折れ曲がる支持部材１４の先端部に組み付けてあり、これにより、正面パネル１０の前面に排液バッグＥを取り付けセットしたときに、その排液バッグＥ内に垂下するチューブｃの先端の排液滴下口ｐの前面に臨む位置に、この検知センサＳが位置するようにしている。
【００２８】
この検知センサＳは、静電容量の変化を感知する静電容量センサが用いてあって、排液滴下口ｐからの排液の滴下が途絶えて、排液が無い状態となって、静電容量の変化を感知した時を、排液の排出終了時として、排出終了の情報信号を出力するように構成してある。
【００２９】
そして、静電容量の変化から排液が無くなったことを感知した時に、排液の排出終了の情報データとして検知センサＳから出力される信号が、タイマー３に伝えられて、そのタイマー３の計測作動をストップさせるようにタイマー３に対し信号線により接続連携させてある。
【００３０】
従って、この実施例の検査装置Ｗにおける排液時間の計測は、患者の体内からの排液の排出を開始したときに、タイマー３の作動スイッチ３１をオンとしてタイマー３の計測作動を開始させておけば排液の排出が終了した時に、検知センサＳにより検知されて発信される排出終了時の情報信号がタイマー３０に伝えられて、自動的にタイマー３の計時作動がストップして、排液時間が計測され、計測した排液時間が、タイマー表示部３０に表示されるようになる。
【００３１】
排液バッグＥに回収した排液の濁り度を、目視による人為的な手段によらずに、自動的に計測するための、発光部（発光器）ｋ１と受光する光量を検知する受光部（受光器）ｋ２とを組み合わせた濁り度検知手段Ｋは、図１１に示しているよう上部本体１ａのパネル面１０の上部に設けている排液バッグ取り付け部５に排液バッグＥを取り付けてパネル面１ｃの前面にセットしたときに、そのセットした排液バッグＥの底部を支承するようにパネル面１０に組み付けてある前後巾が狭く左右巾が長い箱状をなす支持ボックス１５に組み付けてある。
【００３２】
この濁り度検知手段Ｋの発光部ｋ１は、支持ボックス１５の後面側の壁板の内面側の左右の中間部位に組み付けられ、また、受光部ｋ２は前面側の壁板の内面で、前記発光部ｋ１と対抗する部位に組み付けてある。
【００３３】
これにより、排液バッグＥを、図１１・図１２で鎖線で示している如く、底部が支持ボックス１５に嵌入した状態として排液バッグ取り付け部５に取り付けてセットすると、発光部ｋ１から発射される光は、セットした排液バッグＥ内の排液を通過して受光部ｋ２に投射されていくようになり、排液を透過するとき、排液の濁りの度合いに応じて減衰して、光量を低下させるようになる。そして、受光部ｋ２は、濁りの度合いに応じた光量を検知するようになって、検知する光量のセンサ信号により排液の濁り度を検出するように構成している。
【００３４】
また、本体１内には、図１３のブロック図に示しているように、受光部ｋ２において受光により検出された光量のセンサ信号が送信されていくＣＰＵ基板部（ＣＰＵ）が組み込んであり、受光部ｋ２において検出された光量のセンサ信号は、このＣＰＵ基板部（ＣＰＵ）の制御・演算装置により、濁り度の情報信号に演算・変換されるようにしてある。そして、この濁り度の情報信号が、本体１に対し接続コネクタ１６を介し接続させて連携させてあるパソコン（パーソナルコンピュータ）ＰＣに送信され、そのパソコンＰＣが具備する処理装置により処理されて、パソコンＰＣの画面に、濁り度として表示されるようにしてある。
【００３５】
このことから、この実施例の検査装置Ｗにおける排液の濁り度の計測は、本体１に対し取り付けセットした排液バッグＥ内への排液の排出が終了したときにメインスイッチ１２をオンにして濁り度検知手段Ｋを作動させれば、発光部ｋ１から発射される光が、排液バッグＥ内の排液を透過して受光部ｋ２に投射されるようになり、これを受光して光量を検出する受光部ｋ２は、通過する排液の濁りの度合いに応じて減衰してくる光量の変化を検出するようになって、この受光部ｋ２の濁り度に対応する光量の検出によって、濁り度の計測が行われる。そして、受光部ｋ２において検出される濁り度合いに応じた光量のセンサ信号は、ＣＰＵ基板部（ＣＰＵ）により濁り度の情報信号に演算されて、接続連携したパソコンＰＣに送信され、そのパソコンＰＣの画面に濁り度として表示されるようになる。
【００３６】
従って、排液の濁り度の計測が、目視による人為的な操作によらずに、自動的に行われるようになる。なお、この例においては、計測した濁り度を表示する表示部は接続して連携したパソコンＰＣを利用して、そのパソコンＰＣの画面で構成するようにしているが、本体１の外面に、例えば、排液時間を表示するタイマー表示部３０のように、計測した濁り度を数字により表示する表示部を組み付けておき、これに、ＣＰＵ基板部（ＣＰＵ）で演算させた濁り度の情報信号を、濁り度の数字に処理して表示されるようにしてよいものである。
【実施例３】
【００３７】
図１４・図１５は、さらに別の実施例を示している。この例は、前述の実施例２の変形例であり、その実施例２の腹膜透析用の検査装置において各別に行われるようになっている排液時間の表示と、濁り度の表示と、重量の表示とが、検査装置の本体に対し接続連携せしめたパソコンＰＣの画面に一括して表示され、かつ、計測した排液時間と、濁り度と、重量とが、接続連携した前記パソコンＰＣに組み込まれている記憶装置に記録されるようにしている例である。
【００３８】
この例の検査装置は、上述した、排液バッグ内への排液の排出が終了するまでの排液時間と、排液バッグ内に回収した排液の濁り度と、排液バッグ内に回収した排液の重量との、それぞれの計測値を表示し記録する点の構成を除いたその余の構成が、前述の実施例２で説明している検査装置の構成と変わりがないので、各構成部材についての説明は、同じ構成部材に同一の符号を付して、詳しい説明は省略する。
【００３９】
しかして、この例の検査装置Ｗにおいては、排液の排液バッグＥ内への排出の終了時を検知させるための、静電容量センサよりなる検知センサＳ及び、排液の濁り度を検知させるための、発光部ｋ１と受光する光量を検知する受光部ｋ２とからなる濁り度検知手段Ｋ、及び、排液バッグＥ内に回収した排液の重量を検知させるための電子天秤よりなる計量部４は、図１５のブロック図に示している如く、本体１内に組み込んだＣＰＵ基板部（ＣＰＵ）に対し信号線を介し接続連携させてあり、これにより、感知センサＳで検知される排液滴下口ｐからの排液の排出が無くなった時の、排液検知センサ信号、及び濁り度検知手段Ｋの発光部ｋ１から発信される発光部センサ信号及び受光部ｋ２から発信される受光部センサ信号、及び計量部４から発信される受光部センサ信号、及び計量部４から発信される計量表示信号とが、それぞれ、前記本体１内に組み込んだＣＰＵ基板部（ＣＰＵ）に送信されるようにしてある。
【００４０】
そして、本体１内に組み込んだ前記ＣＰＵ基板部（ＣＰＵ）は、検知センサＳ、発光部ｋ１、受光部ｋ２、計量部４から送信されてくる信号を読み取り、情報データに処理し、一括して、検査装置Ｗに接続したパソコンＰＣに送信するようにしてある。
【００４１】
この検査装置Ｗに接続したパソコンＰＣには、立ち上げることで、画面に、タイマー表示部と重量表示部と濁り度の表示部とが並列して表示され、かつ、スタートボタンが表示され、さらに、そのスタートボタンを押すと、組み込まれているタイマーが作動を開始して時間の表示を開始し、同時に、ＣＰＵ基板部（ＣＰＵ）から送られてくる情報信号を制御処理して重量表示と濁り度の表示を行わすアプリケーションソフトが組み込んである。
【００４２】
この実施例の検査装置においては、排液を検査する際、パソコンのアプリケーションソフトを立ち上げて、パソコンの画面を、タイマー表示部と重量表示部と濁り度の表示部とが表示された状態としておき、患者の体内からの排液の排出と開始したときに、画面に表示されているスタートボタンを押せば、時間の表示と重量の表示と濁り度の表示が開始し、排液の排出が終了した時に、それを検知する検知センサＳからの情報信号によりタイマーの作動がストップして、その時までの排液時間をタイマー表示部に表示し、同時に、その時における排液バッグ内の排液の重量と排液の濁り度とを、重量表示部と濁り度表示部に表示し、かつ、パソコンに装備されている記憶装置に記録される。
【００４３】
従って、この例では、身体内からの排液の排出を開始したときに、パソコンの画面に表示されたスタートボタンを押せば、パソコンの画面を見ているだけで、排液についての３つの検査項目の検査・計測が自動的に行われ、かつ、検査結果が記録されるようになる。
【実施例４】
【００４４】
図１６及び図１７は、さらに別の実施例を示している。この例は、下部本体１ｂの上面に上部本体１ａを載架して構成する検査装置Ｗの本体１の機高を低く抑えて、検査装置Ｗを設置するスペースの制約を軽減し、また、作業性を良くするようにしている例である。
【００４５】
この例では、前述した実施例１〜実施例３において、下部本体１ｂの内部に収蔵せしめていた電子天秤よりなる計量部４を、上部本体１ａの側に移動させ、下部本体１ｂは、計量部４を収蔵せしめるための内部空間を用意しないでよいものとして、上下の厚さが薄い台箱状に形成し、これにより、本体１の機高を低く抑えるようにしている。
【００４６】
そして、電子天秤よりなる計量部４は、図１７で示しているように、上部本体１ａの頂部に正面側に向けて庇状に張り出す張り出し部１ｃを形設して、これの内部に組み込み、かつ、被計量物を引き掛け支持せしめて重量を秤量させるために該計量部４に装備される計量フック４２が、張り出し部１ｃから下方に突出して、上部本体１ａの正面側に形設される排液バッグＥ取り付け用の正面パネル１０の上部の前面に位置するように組み付けている。
【００４７】
また、排液バッグＥを正面パネル１０の前面位置に取り付けセットするために、正面パネル１０の上部の前面に装設する取り付け部５は、これを設けず、排液バッグＥを前記計量フック４２に直接引き掛けて、計量部４に荷重を支承せしめることで、排液バッグＥが正面パネル１０の前面位置に取り付けセットされるように構成してあり、これにより、全体の構造を簡略なものとしている。なお、図において、２は正面パネル１０の前面に付設した目視レベル標識体で、前述の実施例１で説明した目視レベル標識体２と同様の構成のものである。また、２１〜２５は、目視レベル標識体２に設けた標識を目視により識別して得た排液の濁り度を表示する濁り度表示灯で、実施例１のものと同様のものである。また、４０は、計量部４で計測された排液の重量を表示するよう、上部本体１ａの張り出し部１ｃの前壁に組み付けた計量表示部、３０は、タイマー（図示省略）で計測した排液時間を表示するよう下部本体１ｂの前壁に組み付けたタイマー表示部である。
【実施例５】
【００４８】
図１８及び図１９は、さらに別の実施例を示している。この例は、前述の実施例４の変形例であり、上部本体１ａと下部本体１ｂとで構成される本体１の機高を低く抑えるために、排液の重量を秤量する計量部４を上部本体１ａの側に組み込んで、下部本体１ｂの上下の厚さを薄い台箱状に形成し、全体の高さを低いものとする前記実施例４の手段を、前述した実施例３で説明している、排液の重量と排出時間と濁り度との３つの項目についての検査の管理が検査装置に接続連携したパソコンにより行われるようにした手段に適用している例である。
【００４９】
図において、１ｂは下部本体、１ａは下部本体１ｂの上面に載架して組み付けた上部本体、１ｃは上部本体１ａの頂部に庇状に設けた張り出し部、４はその張り出し部１ｃの内部に収蔵せしめた電子天秤よりなる計量部、４２は張り出し部１ｃの下方に垂下する計量部４の計量フック、Ｅは、この計量フック４２に引き掛けてセットするとともに計量部４に支承せしめた排液バッグ、Ｓは、排液バッグＥ内の排液滴下口ｐからの排液の排出状態を感知せしめる静電容量センサよりなる感知センサ、１４はその感知センサＳを支持する支持部材、１５は、計量フック４２に引き掛けてセットした排液バッグＥの底部を取り囲むよう下部本体１ｂの上面に設けた支持ボックス、ｋ１は、支持ボックス１５の前壁に組み付けた濁り度検知手段Ｋの発光部、ｋ２は同上の濁り度検知手段Ｋの光量を検知する受光部、１６は下部本体１ｂに付設した接続コネクタ、ＰＣは、前記接続コネクタ１６を介して検査装置Ｗに接続したパソコン（パーソナルコンピュータ）、であり、検査装置Ｗには、これらが装備してある。
【００５０】
検査装置Ｗの機内には、ＣＰＵ基板部（ＣＰＵ）が組み込まれ、これに図１５のブロック図で示している実施例３のものと同様に、静電容量センサよりなる感知センサＳで検知される排液検知センサ信号と、濁り度検知手段Ｋの発光部ｋ１からの発光部センサ信号と、光量を感知する受光部ｋ２からの受光部センサ信号と、計量部４からの計量表示信号と、の各情報信号が送られるようにしてあり、かつ、そのＣＰＵ基板部（ＣＰＵ）は、送られてきた各情報信号を、一括して、パソコンＰＣに送るよう、そのパソコンＰＣに接続連携させてある。そして、ＣＰＵ基板部（ＣＰＵ）を経てパソコンＰＣに送られた各情報信号は、パソコンＰＣに組み込まれているソフトにより制御処理されて、排液の排出時間、排液の重量、排液の濁り度の数値としてパソコンＰＣの画面に表示されるようになる。
【符号の説明】
【００５１】
Ａ    患者の身体
Ｂ    透析装置
Ｃ    透析液バッグ
Ｄ    排液ビン
Ｅ    排液バッグ
Ｅ’  フック孔
Ｆ    バネ秤
Ｇ    プレート
Ｋ    濁り度検知手段
ＰＣ  パソコン
Ｓ    検知センサ
Ｗ    検査装置
Ｚ    濁りレベル検知手段
ａ    接続口
ｂ    接続口
ｃ    チューブ
ｄ    透析液取入口
ｅ    接続口
ｆ    チューブ
ｇ    透析液排出口
ｈ    チューブ
ｉ    計量フック
ｋ１  発光部
ｋ２  受光部
ｐ    排液滴下口
１    本体
１ａ  上部本体
１ｂ  下部本体
１ｃ  張り出し部
１０    正面パネル
１１    チューブフック
１２    メインスイッチ
１３    支脚
１４    支持部材
１５    支持ボックス
１６    接続コネクタ
２    目視レベル標識体
２１〜２５  濁り度表示灯
３    タイマー
３０    タイマー表示部
３１    タイマー作動スイッチ
４    計量部
４ａ  計量部本体
４０    計量表示部
４１    受け座
４２    計量フック
５    排液バッグ取り付け部
【図１】
2014083369.tif 000003
【図２】
2014083369.tif 000004
【図３】
2014083369.tif 000005
【図４】
2014083369.tif 000006
【図５】
2014083369.tif 000007
【図６】
2014083369.tif 000008
【図７】
2014083369.tif 000009
【図８】
2014083369.tif 000010
【図９】
2014083369.tif 000011
【図１０】
2014083369.tif 000012
【図１１】
2014083369.tif 000013
【図１２】
2014083369.tif 000014
【図１３】
2014083369.tif 000015
【図１４】
2014083369.tif 000016
【図１５】
2014083369.tif 000017
【図１６】
2014083369.tif 000018
【図１７】
2014083369.tif 000019
【図１８】
2014083369.tif 000020
【図１９】
2014083369.tif 000021